(57)【要約】【課題】放送衛星から到来する電波を受信する受信用アンテナに入射する不要電磁妨害波を低減する受信アンテナ及び受信アンテナ用遮蔽板を提供する。【解決手段】本発明による受信アンテナ１Ａ，１Ｂ，２Ａ，２Ｂは、到来する電波を焦点ＦＰに反射する反射鏡１２と、焦点ＦＰに配置され、反射鏡１２で反射した当該電波の反射波を受波して電気信号に変換するフィードホーン１１と、その反射波に対する外来雑音を抑圧する受信アンテナ用遮蔽板２０と、を備える。受信アンテナ用遮蔽板２０は、反射鏡１２又はフィードホーン１１を取付対象とし、当該取付対象から所定の高さまで同径で延在する周壁を有する筒状体、又は当該取付対象から所定の高さまで拡径しながら延在する周壁を有するラッパ筒状体で構成されている。【選択図】図１
2020120335.tif 000002
【特許請求の範囲】
【請求項１】
衛星放送用の受信アンテナであって、
到来する電波を焦点に反射する反射鏡と、
前記焦点に配置され、前記反射鏡で反射した当該電波の反射波を受波して電気信号に変換するフィードホーンと、
前記反射波に対する外来雑音を抑圧する受信アンテナ用遮蔽板と、を備え、
前記受信アンテナ用遮蔽板は、前記反射鏡を取付対象とし、前記反射鏡の周縁部から所定の高さまで同径で延在する周壁を有する筒状体、又は前記反射鏡の周縁部から所定の高さまで拡径しながら延在する周壁を有するラッパ筒状体で構成されていることを特徴とする受信アンテナ。
【請求項２】
衛星放送用の受信アンテナであって、
到来する電波を焦点に反射する反射鏡と、
前記焦点に配置され、前記反射鏡で反射した当該電波の反射波を受波して電気信号に変換するフィードホーンと、
前記反射波に対する外来雑音を抑圧する受信アンテナ用遮蔽板と、を備え、
前記受信アンテナ用遮蔽板は、前記フィードホーンを取付対象とし、前記フィードホーンの先端周縁部から所定の高さまで拡径しながら延在する周壁を有するラッパ筒状体で構成されていることを特徴とする受信アンテナ。
【請求項３】
衛星放送用の受信アンテナであって、
到来する電波を焦点に反射する反射鏡と、
前記焦点に配置され、前記反射鏡で反射した当該電波の反射波を受波して電気信号に変換するフィードホーンと、
前記反射波に対する外来雑音を抑圧する一対の受信アンテナ用遮蔽板と、を備え、
前記一対の受信アンテナ用遮蔽板のうち一方は、前記反射鏡を取付対象とし、前記反射鏡の周縁部から所定の高さまで同径で延在する周壁を有する筒状体、又は前記反射鏡の周縁部から所定の高さまで拡径しながら延在する周壁を有するラッパ筒状体で構成され、
前記一対の受信アンテナ用遮蔽板のうち他方は、前記フィードホーンを取付対象とし、前記フィードホーンの先端周縁部から所定の高さまで拡径しながら延在する周壁を有するラッパ筒状体で構成されていることを特徴とする受信アンテナ。
【請求項４】
前記受信アンテナ用遮蔽板は、当該取付対象に対し着脱可能とする取付機構を有することを特徴とする、請求項１から３のいずれか一項に記載の受信アンテナ。
【請求項５】
前記取付機構は、当該取付対象に対し取付角度を調節する機能を有することを特徴とする、請求項４に記載の受信アンテナ。
【請求項６】
前記受信アンテナ用遮蔽板は、当該高さを調節可能とする伸縮機構を有することを特徴とする、請求項１から５のいずれか一項に記載の受信アンテナ。
【請求項７】
前記受信アンテナ用遮蔽板における当該周壁は、開口角度を変更可能とする複数の周壁素材の部分的な重ね合わせで構成されているか、又は当該高さを調節可能とする複数の周壁素材の連結で構成されていることを特徴とする、請求項１から６のいずれか一項に記載の受信アンテナ。
【請求項８】
前記反射鏡を取付対象とする受信アンテナ用遮蔽板における当該周壁は、少なくとも前記到来する電波の経路を阻害しない形状を有することを特徴とする、請求項１又は３、或いは請求項１又は３を引用する請求項４から７のいずれか一項に記載の受信アンテナ。
【請求項９】
前記フィードホーンを取付対象とする受信アンテナ用遮蔽板における当該周壁は、少なくとも前記反射波の経路を阻害しない形状を有することを特徴とする、請求項２又は３、或いは請求項２又は３を引用する請求項４から７のいずれか一項に記載の受信アンテナ。
【請求項１０】
到来する電波を焦点に反射する反射鏡と、前記焦点に配置され、前記反射鏡で反射した当該電波の反射波を受波して電気信号に変換するフィードホーンと、を備える衛星放送用の受信アンテナに対して着脱可能とする受信アンテナ用遮蔽板であって、
前記反射鏡を取付対象として前記反射波に対する外来雑音を抑圧するように構成され、
前記反射鏡の周縁部から所定の高さまで同径で延在する周壁を有する筒状体、又は前記反射鏡の周縁部から所定の高さまで拡径しながら延在する周壁を有するラッパ筒状体で構成されていることを特徴とする受信アンテナ用遮蔽板。
【請求項１１】
到来する電波を焦点に反射する反射鏡と、前記焦点に配置され、前記反射鏡で反射した当該電波の反射波を受波して電気信号に変換するフィードホーンと、を備える衛星放送用の受信アンテナに対して着脱可能とする受信アンテナ用遮蔽板であって、
前記フィードホーンを取付対象として前記反射波に対する外来雑音を抑圧するように構成され、
前記フィードホーンの先端周縁部から所定の高さまで拡径しながら延在する周壁を有するラッパ筒状体で構成されていることを特徴とする受信アンテナ用遮蔽板。
【発明の詳細な説明】
【技術分野】
【０００１】
本発明は、衛星放送の受信アンテナ技術に係り、特に、構造物により不要電磁妨害波を低減する受信アンテナ及び受信アンテナ用遮蔽板に関する。
【背景技術】
【０００２】
周知のように、衛星放送では、静止軌道上にある衛星から送られてくる電波を衛星放送用の受信アンテナで受信し、衛星放送受信機において放送を視聴する。衛星放送用の受信アンテナの形式はパラボラ型が一般的であり、センターフィード型とオフセット型に分類される。
【０００３】
図７（ａ），（ｂ）は、それぞれ従来からのセンターフィード型の衛星放送用の受信アンテナ１０Ａの概略構成を示す斜視図及び断面図である。図７に示す受信アンテナ１０Ａは、フィードホーン１１と反射鏡１２とから構成され、反射鏡１２の中心軸（回転放物面ＣＬの中心軸Ｏ‐Ｏ’）上の焦点ＦＰにフィードホーン１１における電波受信部１１ａが位置するように、例えば図７（ａ）に示すようなアーム１３でフィードホーン１１が支持される。通常、フィードホーン１１は、反射鏡１２で反射した電波を受信する電波受信部１１ａの後段に低雑音ブロックコンバータ（ＬＮＢ）１１ｂが配置され、電波受信部１１ａ及びＬＮＢ１１ｂは同一筐体に内蔵される。従って、ここではフィードホーン１１にはＬＮＢ１１ｂも内蔵しているものとして説明する。
【０００４】
図７（ｂ）に示すように、反射鏡１２の反射面１２ａは回転放物面ＣＬ上に面する中心軸Ｏ‐Ｏ’に対して固有の直径Ｄｒの曲面形状（有効曲面面積Ａｒの開口面）を有している。フィードホーン１１は反射鏡１２の中心軸上に位置し、その電波受信部１１ａは反射面１２ａにおける回転双曲面の焦点ＦＰに配置される。反射面１２ａはアルミなどの金属や強化プラスチック（ＦＲＰ）に金属網を張り合わせたものが使用されることが多い。
【０００５】
図７に示す受信アンテナ１０Ａでは、例えば放送衛星１０１から到来した電波は反射鏡１２の反射面１２ａで反射され、フィードホーン１１における電波受信部１１ａで受波されて電気信号に変換される。この電気信号はＬＮＢ１１ｂで増幅及び周波数変換されて、一般的にはＬＮＢ１１ｂにおけるＦ型コネクターで接続される同軸ケーブル１１ｃを介して衛星放送受信機に出力される。
【０００６】
図８（ａ），（ｂ）は、それぞれ従来からのオフセット型の衛星放送用の受信アンテナ１０Ｂの概略構成を示す斜視図及び断面図である。尚、図８において、図７と同様な構成要素には同一の参照番号を付している。図８に示す受信アンテナ１０Ｂは、フィードホーン１１と反射鏡１２とから構成され、回転放物面ＣＬの中心軸Ｏ‐Ｏ’上の焦点ＦＰにフィードホーン１１における電波受信部１１ａが位置するように、例えば図８（ａ）に示すようなアーム１３でフィードホーン１１が支持される。図８に示す受信アンテナ１０Ｂは、図７に示すセンターフィード型の受信アンテナ１０Ａと同様、フィードホーン１１にはＬＮＢ１１ｂも内蔵しているものとして説明する。
【０００７】
図８（ａ）に示すように、反射鏡１２の反射面１２ａは回転放物面ＣＬ上に面する中心軸Ｏ‐Ｏ’に対して固有の直径Ｄｒの曲面形状（有効曲面面積Ａｒの開口面）を有している。図８に示す受信アンテナ１０Ｂでは、例えば放送衛星１０１から到来した電波は反射鏡１２の反射面１２ａで反射され、フィードホーン１１における電波受信部１１ａで受波されて電気信号に変換される。この電気信号はＬＮＢ１１ｂで増幅及び周波数変換されて、一般的にはＬＮＢ１１ｂにおけるＦ型コネクターで接続される同軸ケーブル１１ｃを介して衛星放送受信機に出力される。
【０００８】
図７及び図８に示すいずれの形式の受信アンテナも、反射鏡１２における反射面１２ａのどの位置で反射した電波についても焦点ＦＰに配置されたフィードホーン１１における電波受信部１１ａに収束するようになっているため高いアンテナ利得が得られる。
【０００９】
図９は、従来からの衛星放送用の受信アンテナ１０Ａ（又は１０Ｂ）の指向特性（反射鏡１２の反射面１２ａの軸中心からフィードホーン１１に向かう角度を０°とした開口角度に対する相対利得）の一例を示す図である。図９に示す例では、当該軸中心０°から±数度の範囲で高い利得を持つ一方、その周辺についても−３０ｄＢ以下の相対利得がある。これは、反射鏡１２の周縁部を回折して到来する電波や、フィードホーン１１に直接到来する電波も受信されることによる。従って、衛星方向以外の方角から妨害波が到来した場合であっても、その妨害波の大きさによっては衛星放送の受信に障害を与える可能性がある。
【００１０】
ところで、ＩＥＣ（国際電気標準化委員会）の標準規格ＣＩＳＰＲ１１では電子レンジを含むＩＳＭ（産業・科学・医療）機器について不要輻射の電界強度許容値が規定されている。そして、日本においては、１１．７ＧＨｚ〜１２．７ＧＨｚの周波数が衛星放送に使用されている。この周波数は電子レンジで使用する周波数２．４５ＧＨｚ±５０ＭＨｚの第５高調波１２．２５ＧＨｚ±２５０ＭＨｚ（１２．０ＧＨｚ〜１２．５ＧＨｚ）と重なっており、不要輻射の大きい電子レンジの場合には外来雑音として衛星放送の受信に障害を与える恐れがある。特に、現在開発が進められている４Ｋ／８Ｋ衛星放送用の受信アンテナとしては、このような電子レンジによる外来雑音による受信妨害を受けうることが報告されている（例えば、非特許文献１参照）。
【００１１】
例えば、狭小なアパートのベランダに衛星放送受信アンテナを設置している場合に、近隣の電子レンジから強い第５高調波が放射されると、受信アンテナの背面等から衛星放送の電波と同時に受信されるため、受信障害の原因となる。
【００１２】
衛星から到来する電波を受信する際に外来雑音を抑圧する有効な方法としては、例えば受信アンテナの周囲に電波遮蔽のための構造物を設置する方法がある（例えば、特許文献１参照）。
【００１３】
また、衛星放送用の受信アンテナではないが、無線装置で発生した電波を放射、又は無線装置から受信した電波を無線装置に給電する一次放射器と、当該電波を反射させるパラボラ反射鏡と、不要放射電波又は受信不要電波を遮蔽するシュラウド（遮蔽板）とを備え、パラボラ反射鏡及び一次放射器を共に覆うようにシュラウド（遮蔽板）の頂部をパラボラ反射鏡の頂部に取着固定し、シュラウド（遮蔽板）を利用して一次放射器を固定支持するアンテナ装置が開示されている（例えば、特許文献２参照）。
【先行技術文献】
【特許文献】
【００１４】
【特許文献１】特開２００５−８６５２８号公報
【特許文献２】国際公開第２０１３／１６８３１９号明細書
【非特許文献】
【００１５】
【非特許文献１】T.Shimazaki, A.Hashimoto, “Influence of Eliminating Peak Limit in CISPR11 on Satellite Broadcasting”, IEEE Xplore Digital Library, ２０１８年８月１６日掲載登録, [平成30年10月22日検索] ,インターネット〈https://ieeexplore.ieee.org/document/8436916〉
【発明の概要】
【発明が解決しようとする課題】
【００１６】
上述したように、現在開発が進められている４Ｋ／８Ｋ衛星放送用の受信アンテナとしては、このような電子レンジによる外来雑音による受信妨害を受けうることが想定され、衛星から到来する電波を受信する際に外来雑音を抑圧する技法が望まれる。
【００１７】
このような外来雑音を抑圧する技法として、特許文献１に開示されるように受信アンテナの周囲に電波遮蔽のための構造物を設置することが考えられる。
【００１８】
しかしながら、特許文献１に開示される技法は、受信アンテナ周辺の数ｍ四方を構造物で囲う構成をとっており、例えばベランダなどに設置する家庭用の衛星放送用の受信アンテナに適用することは困難である。
【００１９】
また、特許文献２に開示される技法についても、パラボラ反射鏡及び一次放射器を共に覆うようにシュラウド（遮蔽板）の頂部をパラボラ反射鏡の頂部に取着固定し、シュラウド（遮蔽板）を利用して一次放射器を固定支持する構成であるため、衛星放送用の受信アンテナは種々の設置位置が想定されることを考慮すると、遮蔽板の形状はより小さく、好ましくは着脱可能とすることが望まれ、特許文献２に開示される技法を衛星放送用の受信アンテナに適用するには不向きである。
【００２０】
本発明の目的は、上述の問題に鑑み、外来雑音を抑圧可能で、且つ家庭用に適した簡易な構造の衛星放送用の受信アンテナ及び受信アンテナ用遮蔽板を提供することにある。
【課題を解決するための手段】
【００２１】
本発明の受信アンテナは、衛星放送用の受信アンテナであって、到来する電波を焦点に反射する反射鏡と、前記焦点に配置され、前記反射鏡で反射した当該電波の反射波を受波して電気信号に変換するフィードホーンと、前記反射波に対する外来雑音を抑圧する受信アンテナ用遮蔽板と、を備え、前記受信アンテナ用遮蔽板は、前記反射鏡を取付対象とし、前記反射鏡の周縁部から所定の高さまで同径で延在する周壁を有する筒状体、又は前記反射鏡の周縁部から所定の高さまで拡径しながら延在する周壁を有するラッパ筒状体で構成されていることを特徴とする。
【００２２】
更に、本発明の受信アンテナは、衛星放送用の受信アンテナであって、到来する電波を焦点に反射する反射鏡と、前記焦点に配置され、前記反射鏡で反射した当該電波の反射波を受波して電気信号に変換するフィードホーンと、前記反射波に対する外来雑音を抑圧する受信アンテナ用遮蔽板と、を備え、前記受信アンテナ用遮蔽板は、前記フィードホーンを取付対象とし、前記フィードホーンの先端周縁部から所定の高さまで拡径しながら延在する周壁を有するラッパ筒状体で構成されていることを特徴とする。
【００２３】
更に、本発明の受信アンテナは、衛星放送用の受信アンテナであって、到来する電波を焦点に反射する反射鏡と、前記焦点に配置され、前記反射鏡で反射した当該電波の反射波を受波して電気信号に変換するフィードホーンと、前記反射波に対する外来雑音を抑圧する一対の受信アンテナ用遮蔽板と、を備え、前記一対の受信アンテナ用遮蔽板のうち一方は、前記反射鏡を取付対象とし、前記反射鏡の周縁部から所定の高さまで同径で延在する周壁を有する筒状体、又は前記反射鏡の周縁部から所定の高さまで拡径しながら延在する周壁を有するラッパ筒状体で構成され、前記一対の受信アンテナ用遮蔽板のうち他方は、前記フィードホーンを取付対象とし、前記フィードホーンの先端周縁部から所定の高さまで拡径しながら延在する周壁を有するラッパ筒状体で構成されていることを特徴とする。
【００２４】
また、本発明の受信アンテナにおいて、前記受信アンテナ用遮蔽板は、当該取付対象に対し着脱可能とする取付機構を有することを特徴とする。
【００２５】
また、本発明の受信アンテナにおいて、前記取付機構は、当該取付対象に対し取付角度を調節する機能を有することを特徴とする。
【００２６】
また、本発明の受信アンテナにおいて、前記受信アンテナ用遮蔽板は、当該高さを調節可能とする伸縮機構を有することを特徴とする。
【００２７】
また、本発明の受信アンテナにおいて、前記受信アンテナ用遮蔽板における当該周壁は、開口角度を変更可能とする複数の周壁素材の部分的な重ね合わせで構成されているか、又は当該高さを調節可能とする複数の周壁素材の連結で構成されていることを特徴とする。
【００２８】
また、本発明の受信アンテナにおいて、前記反射鏡を取付対象とする受信アンテナ用遮蔽板における当該周壁は、少なくとも前記到来する電波の経路を阻害しない形状を有することを特徴とする。
【００２９】
また、本発明の受信アンテナにおいて、前記フィードホーンを取付対象とする受信アンテナ用遮蔽板における当該周壁は、少なくとも前記反射波の経路を阻害しない形状を有することを特徴とする。
【００３０】
更に、本発明の受信アンテナ用遮蔽板は、到来する電波を焦点に反射する反射鏡と、前記焦点に配置され、前記反射鏡で反射した当該電波の反射波を受波して電気信号に変換するフィードホーンと、を備える衛星放送用の受信アンテナに対して着脱可能とする受信アンテナ用遮蔽板であって、前記反射鏡を取付対象として前記反射波に対する外来雑音を抑圧するように構成され、前記反射鏡の周縁部から所定の高さまで同径で延在する周壁を有する筒状体、又は前記反射鏡の周縁部から所定の高さまで拡径しながら延在する周壁を有するラッパ筒状体で構成されていることを特徴とする。
【００３１】
更に、本発明の受信アンテナ用遮蔽板は、到来する電波を焦点に反射する反射鏡と、前記焦点に配置され、前記反射鏡で反射した当該電波の反射波を受波して電気信号に変換するフィードホーンと、を備える衛星放送用の受信アンテナに対して着脱可能とする受信アンテナ用遮蔽板であって、前記フィードホーンを取付対象として前記反射波に対する外来雑音を抑圧するように構成され、前記フィードホーンの先端周縁部から所定の高さまで拡径しながら延在する周壁を有するラッパ筒状体で構成されていることを特徴とする。
【発明の効果】
【００３２】
外来雑音を抑圧可能で、且つ家庭用に適した簡易な構造の衛星放送用の受信アンテナを構成することが可能となる。
【図面の簡単な説明】
【００３３】
【図１】（ａ），（ｂ）は、それぞれ本発明による第１実施形態の受信アンテナ用遮蔽板を有するセンターフィード型の衛星放送用の受信アンテナの概略構成を示す斜視図及び断面図である。
【図２】（ａ），（ｂ）は、それぞれ本発明による第２実施形態の受信アンテナ用遮蔽板を有するオフセット型の衛星放送用の受信アンテナの概略構成を示す斜視図及び断面図である。
【図３】（ａ），（ｂ）は、それぞれ本発明による第３実施形態の受信アンテナ用遮蔽板を有するセンターフィード型の衛星放送用の受信アンテナの概略構成を示す斜視図及び断面図である。
【図４】（ａ），（ｂ）は、それぞれ本発明による第４実施形態の受信アンテナ用遮蔽板を有するオフセット型の衛星放送用の受信アンテナの概略構成を示す斜視図及び断面図である。
【図５】（ａ）乃至（ｃ）は、それぞれ本発明による第１乃至４実施形態の受信アンテナ用遮蔽板における各実施例の取付部の取付機構の概略構成を示す斜視図である。
【図６】（ａ）乃至（ｃ）は、それぞれ本発明による第１乃至４実施形態の受信アンテナ用遮蔽板における各実施例の周壁の伸縮機構の概略構成を示す斜視図である。
【図７】（ａ），（ｂ）は、それぞれ従来からのセンターフィード型の衛星放送用の受信アンテナ１０Ａの概略構成を示す斜視図及び断面図である。
【図８】（ａ），（ｂ）は、それぞれ従来からのオフセット型の衛星放送用の受信アンテナ１０Ｂの概略構成を示す斜視図及び断面図である。
【図９】従来からの衛星放送用の受信アンテナ１０Ａ（又は１０Ｂ）の指向特性の一例を示す図である。
【発明を実施するための形態】
【００３４】
以下、図面を参照して、各実施形態の受信アンテナ用遮蔽板を有する衛星放送用の受信アンテナについて説明する。尚、各図において同様な構成要素には同一の参照番号を付して説明する。
【００３５】
〔第１実施形態〕
図１（ａ），（ｂ）は、それぞれ本発明による第１実施形態の受信アンテナ用遮蔽板２０を有するセンターフィード型の衛星放送用の受信アンテナ１Ａの概略構成を示す斜視図及び断面図である。
【００３６】
図１に示す第１実施形態に係る受信アンテナ１Ａは、前述した図７に示す受信アンテナ１０Ａと同様に、放送衛星１０１からの電波を受信するセンターフィード型の衛星放送用の受信アンテナである。
【００３７】
図１に示すように、第１実施形態に係る受信アンテナ１Ａは、図７に示す受信アンテナ１０Ａと比較し、フィードホーン１１及び反射鏡１２を備える点で同じでありその更なる説明は省略するが、反射鏡１２に対して取り付けられる受信アンテナ用遮蔽板２０を更に備える点で異なる。
【００３８】
本実施形態に係る受信アンテナ用遮蔽板２０は、電波を遮蔽する素材で構成され、反射鏡１２の周縁部１２ｂから高さｈまで同径で延在する周壁２０ｃを有する筒状体で構成される。本実施形態に係る受信アンテナ用遮蔽板２０の開口先端部２０ａは、開口基端部２０ｂと同径（直径Ｄｒ）で開口しており、開口基端部２０ｂは反射鏡１２の周縁部１２ｂに対して着脱可能に固定される取付部２０ｄを有する（取付部２０ｄを構成する取付機構の実施例については後述する。）。ここで、高さｈは、反射鏡１２の周縁部１２ｂからフィードホーン１１における電波受信部１１ａの焦点ＦＰまでの高さｈｆ（回転放物面ＣＬの中心軸Ｏ‐Ｏ’と平行な方向の高さ）より高いものとするのが好適であり、且つ図示するように電波受信部１１ａの全部を超えない高さとするのが好適である。これにより、小型で効率よく不要電波を遮蔽できるようになる。
【００３９】
受信アンテナ用遮蔽板２０を構成する素材は、金属板や、合成樹脂材に金属網を張り合わせたもの、金属粉を混ぜ合わせたもの、導電性ゴム材など、電波を遮蔽するものであればよい。本例の受信アンテナ用遮蔽板２０の形状は、放送衛星１０１から到来する電波が反射鏡１２の反射面１２ａに到達する電界を遮蔽しない形状であって、反射鏡１２の周縁部１２ｂとほぼ同一形状の開口基端部２０ｂから開口先端部２０ａまで同径で延びる周壁２０ｃを持つ円筒状の筒状体としている。
【００４０】
このようにして、外来雑音を抑圧可能で、且つ家庭用に適した簡易な構造のセンターフィード型の衛星放送用の受信アンテナ１Ａが構成される。特に、本実施形態に係る受信アンテナ用遮蔽板２０の形状は、特許文献２に開示される技法より小さくすることができ、更には反射鏡１２に対して着脱可能とし適宜取り付けることや、取り外すことができるようにすることで、種々の設置位置が想定される受信アンテナの設置自由度が向上し、利便性も高いものとなる。
【００４１】
〔第２実施形態〕
図２（ａ），（ｂ）は、それぞれ本発明による第２実施形態の受信アンテナ用遮蔽板２０を有するオフセット型の衛星放送用の受信アンテナ１Ｂの概略構成を示す斜視図及び断面図である。
【００４２】
図２に示す第２実施形態に係る受信アンテナ１Ｂは、前述した図８に示す受信アンテナ１０Ｂと同様に、放送衛星１０１からの電波を受信するオフセット型の衛星放送用の受信アンテナである。
【００４３】
図２に示すように、第２実施形態に係る受信アンテナ１Ｂは、図８に示す受信アンテナ１０Ｂと比較し、フィードホーン１１及び反射鏡１２を備える点で同じでありその更なる説明は省略するが、反射鏡１２に対して取り付けられる受信アンテナ用遮蔽板２０を備える点で異なる。
【００４４】
本実施形態に係る受信アンテナ用遮蔽板２０は、電波を遮蔽する素材で構成され、反射鏡１２の周縁部１２ｂから高さｈまで拡径しながら延在する周壁２０ｃを有するラッパ筒状体で構成される。本実施形態に係る受信アンテナ用遮蔽板２０の開口先端部２０ａは、開口基端部２０ｂの径（直径Ｄｒ）より拡径して開口しており、開口基端部２０ｂは反射鏡１２の周縁部１２ｂに対して着脱可能に固定される取付部２０ｄを有する（取付部２０ｄを構成する取付機構の実施例については後述する。）。ここで、高さｈは、反射鏡１２の周縁部１２ｂからフィードホーン１１における電波受信部１１ａの焦点ＦＰまでの高さｈｆ（回転放物面ＣＬの中心軸Ｏ‐Ｏ’に対する反射鏡１２の傾斜角θとなる線分ＮＶと平行な方向の高さ）より高いものとするのが好適であり、且つ図示するように電波受信部１１ａの全部を超えない高さとするのが好適である。これにより、受信アンテナ用遮蔽板２０は、小型で効率よく不要電波を遮蔽できるようになる。
【００４５】
受信アンテナ用遮蔽板２０を構成する素材は、金属板や、合成樹脂材に金属網を張り合わせたもの、金属粉を混ぜ合わせたもの、導電性ゴム材など、電波を遮蔽するものであればよい。本例の受信アンテナ用遮蔽板２０の形状は、放送衛星１０１から到来する電波が反射鏡１２の反射面１２ａで反射し、フィードホーン１１に至る経路を遮蔽しない形状であって、反射鏡１２の周縁部１２ｂとほぼ同一形状の開口基端部２０ｂから開口先端部２０ａまで拡径して延びる周壁２０ｃを持つラッパ筒状体としている。
【００４６】
このようにして、外来雑音を抑圧可能で、且つ家庭用に適した簡易な構造のオフセット型の衛星放送用の受信アンテナ１Ｂが構成される。特に、本実施形態に係る受信アンテナ用遮蔽板２０の形状は、特許文献２に開示される技法より小さくすることができ、更には反射鏡１２に対して着脱可能とし適宜取り付けることや、取り外すことができるようにすることで、種々の設置位置が想定される受信アンテナの設置自由度が向上し、利便性も高いものとなる。
【００４７】
〔第３実施形態〕
図３（ａ），（ｂ）は、それぞれ本発明による第３実施形態の受信アンテナ用遮蔽板２０を有するセンターフィード型の衛星放送用の受信アンテナ２Ａの概略構成を示す斜視図及び断面図である。
【００４８】
図３に示す第３実施形態に係る受信アンテナ２Ａは、前述した図７に示す受信アンテナ１０Ａと同様に、放送衛星１０１からの電波を受信するセンターフィード型の衛星放送用の受信アンテナである。
【００４９】
図３に示すように、第３実施形態に係る受信アンテナ２Ａは、図７に示す受信アンテナ１０Ａと比較し、フィードホーン１１及び反射鏡１２を備える点で同じでありその更なる説明は省略するが、フィードホーン１１に取り付けられる受信アンテナ用遮蔽板２０を備える点で異なる。
【００５０】
本実施形態に係る受信アンテナ用遮蔽板２０は、電波を遮蔽する素材で構成され、フィードホーン１１における電波受信部１１ａから高さｈまで拡径しながら延在する周壁２０ｃを有するラッパ筒状体で構成される。本実施形態に係る受信アンテナ用遮蔽板２０の開口先端部２０ａは、開口基端部２０ｂの径（電波受信部１１ａの直径）より拡径して開口しており、開口基端部２０ｂはフィードホーン１１における電波受信部１１ａの先端周縁部に対して着脱可能に固定される取付部２０ｄを有する（取付部２０ｄを構成する取付機構の実施例については後述する。）。ここで、高さｈは、反射鏡１２における反射面１２ａの有効曲面面積Ａｒに対する、開口先端部２０ａの開口径Ｄｓで遮蔽される反射面１２ａ上の遮蔽曲面面積Ａｓの比として、Ａｓ／Ａｒ＜２０％となるように設定するのが好適である。これにより、小型で効率よく不要電波を遮蔽できるようになる。
【００５１】
受信アンテナ用遮蔽板２０を構成する素材は、金属板や、合成樹脂材に金属網を張り合わせたもの、金属粉を混ぜ合わせたもの、導電性ゴム材など、電波を遮蔽するものであればよい。本例の受信アンテナ用遮蔽板２０の形状は、放送衛星１０１から到来する電波が反射鏡１２の反射面１２ａで反射した反射波がフィードホーン１１に至る経路を遮蔽しない形状であって、フィードホーン１１における電波受信部１１ａとほぼ同一形状の開口基端部２０ｂから開口先端部２０ａまで拡径する周壁２０ｃを有するものとし、当該反射波の経路を阻害しないラッパ筒状体としている。
【００５２】
このようにして、外来雑音を抑圧可能で、且つ家庭用に適した簡易な構造のセンターフィード型の衛星放送用の受信アンテナ２Ａが構成される。特に、本実施形態に係る受信アンテナ用遮蔽板２０の形状は、特許文献２に開示される技法より小さくすることができ、更には反射鏡１２に対して着脱可能とし適宜取り付けることや、取り外すことができるようにすることで、種々の設置位置が想定される受信アンテナの設置自由度が向上し、利便性も高いものとなる。
【００５３】
〔第４実施形態〕
図４（ａ），（ｂ）は、それぞれ本発明による第４実施形態の受信アンテナ用遮蔽板２０を有するオフセット型の衛星放送用の受信アンテナ２Ｂの概略構成を示す斜視図及び断面図である。
【００５４】
図４に示す第４実施形態に係る受信アンテナ２Ｂは、前述した図８に示す受信アンテナ１０Ｂと同様に、放送衛星１０１からの電波を受信するオフセット型の衛星放送用の受信アンテナである。
【００５５】
図４に示すように、第４実施形態に係る受信アンテナ２Ｂは、図８に示す受信アンテナ１０Ｂと比較し、フィードホーン１１及び反射鏡１２を備える点で同じでありその更なる説明は省略するが、フィードホーン１１に取り付けられる受信アンテナ用遮蔽板２０を備える点で異なる。
【００５６】
本実施形態に係る受信アンテナ用遮蔽板２０は、電波を遮蔽する素材で構成され、フィードホーン１１における電波受信部１１ａから高さｈまで拡径しながら延在する周壁２０ｃを有するラッパ筒状体で構成される。本実施形態に係る受信アンテナ用遮蔽板２０の開口先端部２０ａは、開口基端部２０ｂの径（電波受信部１１ａの直径）より拡径して開口しており、開口基端部２０ｂはフィードホーン１１における電波受信部１１ａの先端周縁部に対して着脱可能に固定される取付部２０ｄを有する（取付部２０ｄを構成する取付機構の実施例については後述する。）。ここで、高さｈは、放送衛星１０１から到来する電波、及び反射鏡１２の反射面１２ａで反射した反射波の経路を阻害しない高さとなるように設定するのが好適である。これにより、小型で効率よく不要電波を遮蔽できるようになる。
【００５７】
受信アンテナ用遮蔽板２０を構成する素材は、金属板や、合成樹脂材に金属網を張り合わせたもの、金属粉を混ぜ合わせたもの、導電性ゴム材など、電波を遮蔽するものであればよい。本例の受信アンテナ用遮蔽板２０の形状は、放送衛星１０１から到来する電波、及び反射鏡１２の反射面１２ａで反射した反射波がフィードホーン１１に至る経路を遮蔽しない形状であって、フィードホーン１１における電波受信部１１ａとほぼ同一形状の開口基端部２０ｂから開口先端部２０ａまで拡径する周壁２０ｃを有するものとし、当該到来する電波及び当該反射波の経路を阻害しないラッパ筒状体としている。
【００５８】
このようにして、外来雑音を抑圧可能で、且つ家庭用に適した簡易な構造のオフセット型の衛星放送用の受信アンテナ２Ｂが構成される。特に、本実施形態に係る受信アンテナ用遮蔽板２０の形状は、特許文献２に開示される技法より小さくすることができ、更には反射鏡１２に対して着脱可能とし適宜取り付けることや、取り外すことができるようにすることで、種々の設置位置が想定される受信アンテナの設置自由度が向上し、利便性も高いものとなる。
【００５９】
上述の各実施形態の例については、第１実施形態と第３実施形態の組み合わせた実施形態、又は第２実施形態と第４実施形態の組み合わせた実施形態とすることで、より高い外来雑音抑止効果が得られる実施形態を構成することもできる。
【００６０】
（受信アンテナ用遮蔽板２０の取付部２０ｄの取付機構）
図５（ａ）乃至（ｃ）は、それぞれ本発明による第１乃至４実施形態の受信アンテナ用遮蔽板２０における各実施例の取付部２０ｄの取付機構の概略構成を示す斜視図である。尚、図５は、第３及び第４実施形態に係る受信アンテナ２Ａ，２Ｂとして、受信アンテナ用遮蔽板２０をフィードホーン１１における電波受信部１１ａに取り付ける例を代表して図示しているが、第１及び第２実施形態に係る受信アンテナ１Ａ，１Ｂとして、受信アンテナ用遮蔽板２０を反射鏡１２における周縁部１２ｂに取り付ける場合も同様に構成できるため、その説明は省略する。
【００６１】
まず、図５（ａ）に示す受信アンテナ用遮蔽板２０は、電波の遮蔽作用を生じさせる導電性ゴム材で成形した例を想定している。図５（ａ）に示す受信アンテナ用遮蔽板２０の取付部２０ｄは、直径ｒの初期状態から弾性変形で拡径できるものとなっており、直径Ｒ（＞ｒ）を有する電波受信部１１ａに対し拡径して嵌着できるようになっている。これにより、受信アンテナ用遮蔽板２０の開口基端部２０ｂは、フィードホーン１１における電波受信部１１ａとほぼ同一形状となって固定できる。そして、導電性ゴム材で成形した受信アンテナ用遮蔽板２０の取付部２０ｄ自体が、種々の直径Ｒを有する電波受信部１１ａに対しても固定できるように可撓性を有するものとなるため、汎用性が高いものとなる。また、種々の直径Ｒを有する電波受信部１１ａに対して、電波受信部１１ａの軸方向から随意角度αで傾斜させて受信アンテナ用遮蔽板２０の取付部２０ｄを取り付けることができるため、取付角度の角度調節も容易であるという利点がある。つまり、受信アンテナ用遮蔽板２０の向きをフィードホーン１１の軸方向に合わせることが必ずしも遮蔽したい雑音方向に対する遮蔽効果として最善とならないことも想定される。そこで、本例の構成では、受信アンテナ用遮蔽板２０の取付部２０ｄ自体が可撓性を有することで、その取り付け方によって受信アンテナ用遮蔽板２０の向きを自在に調節できるようにしている。これは、導電性ゴム材で成形した受信アンテナ用遮蔽板２０を反射鏡１２における周縁部１２ｂに取り付ける場合も同様である。
【００６２】
次に、図５（ｂ）に示す受信アンテナ用遮蔽板２０は、電波の遮蔽作用を生じさせる金属板や金属含有の合成樹脂等で成形した例を想定している。図５（ｂ）に示す受信アンテナ用遮蔽板２０の取付部２０ｄは、その直径Ｒ’の内周部に、直径ｒ（＜Ｒ’）のゴム材等のリング状の締付部材２０ｅが設けられている。そして、受信アンテナ用遮蔽板２０の取付部２０ｄは、締付部材２０ｅにより直径Ｒ（Ｒ’＞Ｒ＞ｒ）を有する電波受信部１１ａに対し狭圧して嵌着できるようになっている。これにより、受信アンテナ用遮蔽板２０の開口基端部２０ｂは、フィードホーン１１における電波受信部１１ａとほぼ同一形状となって固定できる。そして、厚みと可撓性を持つ締付部材２０ｅであれば種々の直径Ｒを有する電波受信部１１ａに対しても固定できるようになるため、汎用性が高いものとなる。また、種々の直径Ｒを有する電波受信部１１ａに対して、電波受信部１１ａの軸方向から随意角度αで傾斜させて受信アンテナ用遮蔽板２０の取付部２０ｄを取り付けることができるため、取付角度の角度調節も容易であるという利点がある。つまり、受信アンテナ用遮蔽板２０の向きをフィードホーン１１の軸方向に合わせることが必ずしも遮蔽したい雑音方向に対する遮蔽効果として最善とならないことも想定される。そこで、本例の構成では、受信アンテナ用遮蔽板２０の取付部２０ｄ自体が厚みと可撓性を有することで、その取り付け方によって受信アンテナ用遮蔽板２０の向きを自在に調節できるようにしている。これは、締付部材２０ｅを有する受信アンテナ用遮蔽板２０を反射鏡１２における周縁部１２ｂに取り付ける場合も同様である。
【００６３】
次に、図５（ｃ）に示す受信アンテナ用遮蔽板２０は、電波の遮蔽作用を生じさせる金属板や金属含有の合成樹脂等で成形した周壁素材２０ｃ‐１，２０ｃ‐２，…，２０ｃ‐Ｎ（Ｎは２以上の整数）を電波受信部１１ａの軸周方向に部分的に重ね合わせて形成される例を想定している。図５（ｃ）に示す受信アンテナ用遮蔽板２０の取付部２０ｄは、各周壁素材２０ｃ‐Ｎの基端部の重ね合わせで構成され、各周壁素材２０ｃ‐Ｎの基端部を保持するように取着バンド２０ｇが巻着されている。この取着バンド２０ｇの一端を固定し取着バンド２０ｇの他端を移動可能に係合する係止金具（図示略）が取り付けられており、例えばダイヤル式の取着調節部２０ｆの回転で取着バンド２０ｇの他端を当該係止金具に対し相対移動させることで取付部２０ｄの直径ｒを調節できるようになっている。
【００６４】
そして、図５（ｃ）に示す受信アンテナ用遮蔽板２０の取付部２０ｄは、直径Ｒを有する電波受信部１１ａに対し自在に締着できるようになっている。これにより、受信アンテナ用遮蔽板２０の開口基端部２０ｂは、フィードホーン１１における電波受信部１１ａとほぼ同一形状となって固定できる。そして、各周壁素材２０ｃ‐Ｎの基端部の重ね合わせで構成した取付部２０ｄであれば種々の直径Ｒを有する電波受信部１１ａに対しても固定できるようになるため、汎用性が高いものとなる。また、種々の直径Ｒを有する電波受信部１１ａに対して、電波受信部１１ａの軸方向から随意角度αで傾斜させて受信アンテナ用遮蔽板２０の取付部２０ｄを取り付けることができるため、取付角度の角度調節も容易であるという利点がある。つまり、受信アンテナ用遮蔽板２０の向きをフィードホーン１１の軸方向に合わせることが必ずしも遮蔽したい雑音方向に対する遮蔽効果として最善とならないことも想定される。そこで、本例の構成では、受信アンテナ用遮蔽板２０の取付部２０ｄ自体が可変径を有することで、その取り付け方によって受信アンテナ用遮蔽板２０の向きを自在に調節できるようにしている。更に、図５（ｃ）に示すように各周壁素材２０ｃ‐Ｎの重ね合わせで構成した受信アンテナ用遮蔽板２０であれば、その重ね合わせ枚数の調節や折り曲げることも可能となるので、受信アンテナ用遮蔽板２０の開口先端部２０ａの開口角度βの変更も自在に調節できるという利点がある。これは、受信アンテナ用遮蔽板２０を反射鏡１２における周縁部１２ｂに取り付ける場合も同様である。
【００６５】
図５（ａ）乃至（ｃ）では、着脱可能とする受信アンテナ用遮蔽板２０の典型例として、代表的な実施例の取付部２０ｄの取付機構について説明したが、図５（ａ）乃至（ｃ）に示す各実施例の取付機構を適宜組み合わせた別の実施例の取付部２０ｄとすることができる。
【００６６】
（受信アンテナ用遮蔽板２０の周壁２０ｃの伸縮機構）
図６（ａ）乃至（ｃ）は、それぞれ本発明による第１乃至４実施形態の受信アンテナ用遮蔽板２０における各実施例の周壁２０ｃの伸縮機構の概略構成を示す斜視図である。尚、図６は、第３及び第４実施形態に係る受信アンテナ２Ａ，２Ｂとして、受信アンテナ用遮蔽板２０をフィードホーン１１における電波受信部１１ａに取り付ける例を代表して図示しているが、第１及び第２実施形態に係る受信アンテナ１Ａ，１Ｂとして、受信アンテナ用遮蔽板２０を反射鏡１２における周縁部１２ｂに取り付ける場合も同様に構成できるため、その説明は省略する。
【００６７】
まず、図６（ａ）に示す受信アンテナ用遮蔽板２０は、電波の遮蔽作用を生じさせる導電性ゴム材で成形した例を想定しており、図５（ａ）に示した例と同様に、フィードホーン１１における電波受信部１１ａに対して取付部２０ｄを着脱可能に取り付けることができる。更に、図６（ａ）に示す受信アンテナ用遮蔽板２０の周壁２０ｃは、それぞれ径の異なる環状（本例では傾斜平板リング状）の周壁素材２０ｃ‐１，２０ｃ‐２，…，２０ｃ‐Ｎ（Ｎは２以上の整数）を電波受信部１１ａの軸方向に連結させて形成され、高さｈが伸縮自在となっている。例えば、図示するようにＮ＝４個の周壁素材２０ｃ‐１，２０ｃ‐２，２０ｃ‐３，２０ｃ‐４が用意されているとすると、高さｈとして最小高さｈｍｉｎとしたいときは、取付部２０ｄに対して周壁素材２０ｃ‐１のみを取り付けたものとし、高さｈとして最大高さｈｍａｘとしたいときは、取付部２０ｄに対して周壁素材２０ｃ‐１，２０ｃ‐２，２０ｃ‐３，２０ｃ‐４を全部取り付けたものとする。尚、各周壁素材の連結方法は、嵌合又は係合によるものや、両面テープや面ファスナー、或いはマグネットを利用したものとすることができる。このようにして、図６（ａ）に示す伸縮機構を有する受信アンテナ用遮蔽板２０は、その高さｈを伸縮自在に構成されたものとすることができる。
【００６８】
次に、図６（ｂ）に示す受信アンテナ用遮蔽板２０は、図６（ａ）に示す図示Ａの変形例１として、電波の遮蔽作用を生じさせる導電性ゴム材、金属板、或いは金属含有の合成樹脂等で成形した環状（本例では傾斜平板リング状）の周壁素材２０ｃ‐１，２０ｃ‐２，…，２０ｃ‐Ｎ（Ｎは２以上の整数）を重ね合わせて形成される例を想定し、入れ子構造を応用したものとなっている。尚、図６（ｂ）では、代表して図６（ｂ−１）には周壁素材２０ｃ‐３，２０ｃ‐４の分解斜視図、図６（ｂ−２）には周壁素材２０ｃ‐３，２０ｃ‐４の重ね合わせ部位の断面図を示している。そして、この受信アンテナ用遮蔽板２０の周壁２０ｃは、図６（ａ）に示すものと同様、それぞれ径の異なる環状（本例では傾斜平板リング状）の周壁素材２０ｃ‐１，２０ｃ‐２，…，２０ｃ‐Ｎ（Ｎは２以上の整数）を弾性変形を伴って重ね合わせながら連結させて形成され、高さｈが伸縮自在となっている。
【００６９】
図６（ｂ）に示す例では、例えば周壁素材２０ｃ‐３，２０ｃ‐４の各重ね合わせ部位の外面側で、それぞれ複数の外面側伸縮連結用丸凸部２０ｈ及び外面側伸縮連結用凹部２０ｉが所定数繰り返し形成され、且つ各重ね合わせ部位の内面側で、複数の内面側伸縮連結用丸凸部２０ｊ及び内面側伸縮連結用凹部２０ｋが所定数繰り返し形成されたものとなっている。そして、周壁素材２０ｃ‐３，２０ｃ‐４の各重ね合わせ部位の弾性変形を伴う係合で、周壁素材２０ｃ‐３，２０ｃ‐４に係る高さｈを調節できる。このため、図６（ｂ）に示す例では、各周壁素材の連結自体が伸縮自在であり、且つ分離可能となっている。このようにして、図６（ｂ）に示す伸縮機構を有する受信アンテナ用遮蔽板２０は、その高さｈを伸縮自在に構成されたものとすることができる。
【００７０】
次に、図６（ｃ）に示す受信アンテナ用遮蔽板２０は、図６（ａ）に示す図示Ａの変形例２として、電波の遮蔽作用を生じさせる導電性ゴム材、屈曲可能な薄板の金属板、或いは金属含有の合成樹脂等で成形した周壁素材２０ｃ‐１，２０ｃ‐２，…，２０ｃ‐Ｎ（Ｎは２以上の整数）を自由屈曲可能に連結して形成される例を想定している。そして、この受信アンテナ用遮蔽板２０の周壁２０ｃは、図６（ａ）に示すものと同様、それぞれ径の異なる傾斜平板リング状の周壁素材２０ｃ‐１，２０ｃ‐２，…，２０ｃ‐Ｎ（Ｎは２以上の整数）を連結させて形成され、高さｈが伸縮自在となっている。
【００７１】
図６（ｃ）に示す例では、例えば周壁素材２０ｃ‐３，２０ｃ‐４の各連結部位が面ファスナー等で固着され、それぞれ屈曲可能な伸縮部位２０ｍが形成されたものとなっている。また、伸縮状態を安定化させるために、各周壁素材２０ｃ‐３，２０ｃ‐４にはワイヤ２０ｎが適所に配設されている。そして、周壁素材２０ｃ‐３，２０ｃ‐４の各連結部位の屈曲で、周壁素材２０ｃ‐３，２０ｃ‐４に係る高さｈを調節できる。このため、図６（ｃ）に示す例では、各周壁素材の連結自体が伸縮自在であり、且つ分離可能となっている。このようにして、図６（ｃ）に示す伸縮機構を有する受信アンテナ用遮蔽板２０は、その高さｈを伸縮自在に構成されたものとすることができる。尚、図６（ｃ）に示す伸縮機構は、複数の周壁素材を連結する形態でなくとも適用することができ、単一の周壁２０ｃに対して伸縮部位２０ｍ及びワイヤ２０ｎを設けることで、伸縮自在の構成とすることができる。
【００７２】
図６（ａ）乃至（ｃ）では、高さｈを伸縮可能とする受信アンテナ用遮蔽板２０の典型例として、代表的な実施例の周壁２０ｃの伸縮機構について説明したが、図６（ａ）乃至（ｃ）に示す各実施例の伸縮機構を適宜組み合わせた別の実施例の周壁２０ｃとすることができる。
【００７３】
また、図１乃至図４に示す各実施形態の受信アンテナにおける受信アンテナ用遮蔽板２０について、図５に例示する取付機構及び図６に例示する伸縮機構を適宜組み入れた実施形態とすることができる。
【００７４】
上述の各実施形態及び各実施例については代表的な例として説明したが、本発明の趣旨及び範囲内で、多くの変形及び置換することができることは当業者に明らかである。
【００７５】
例えば、上述の各実施形態の例では、受信アンテナ用遮蔽板２０の素材は金属板や、合成樹脂材に金属網を張り合わせたもの、金属粉を混ぜ合わせたもの、導電性ゴム材など、電波を遮蔽するものであればよいとしているが、対象とする電波の波長に対して十分な遮蔽効果が得られる金網やゴム材で金網や金属粉を封入したものでもよい。また、表面に電波吸収材を貼付又は塗布することにより受信アンテナ用遮蔽板２０に反射して飛び込んでくる外来雑音を低減することも可能である。
【００７６】
また、上述した第１実施形態の例では、受信アンテナ用遮蔽板２０の形状として、反射鏡１２の周縁部１２ｂとほぼ同一形状の開口基端部２０ｂから開口先端部２０ａまで同径で延びる周壁２０ｃを持つ円筒状の筒状体とする例を説明したが、第２実施形態と同様に、反射鏡１２の周縁部１２ｂとほぼ同一形状の開口基端部２０ｂから開口先端部２０ａまで拡径して延びる周壁２０ｃを持つラッパ筒状体としてもよい。
【００７７】
また、上述した第２実施形態の例では、受信アンテナ用遮蔽板２０の形状として、反射鏡１２における周縁部１２ｂとほぼ同一形状の開口基端部２０ｂから開口先端部２０ａまで拡径する周壁２０ｃを有し、特に、放送衛星１０１から到来する電波の到来方向の経路を阻害しない最小限の拡径で構成したラッパ筒状体を図示して説明したが、これを包含する、より大きく開口先端部２０ａが拡径する周壁２０ｃを持つラッパ筒状体とすることも可能である。
【００７８】
また、上述した第３実施形態及び第４実施形態の例では、受信アンテナ用遮蔽板２０の形状として、フィードホーン１１における電波受信部１１ａとほぼ同一形状の開口基端部２０ｂから開口先端部２０ａまで拡径する周壁２０ｃを有し、特に、当該反射波の経路を阻害しない最小限の拡径で構成したラッパ筒状体を図示して説明したが、これを包含する、より大きく開口先端部２０ａが拡径する周壁２０ｃを持つラッパ筒状体とすることも可能である。
【００７９】
特に、各実施形態に係る受信アンテナ１Ａ，１Ｂ，２Ａ，２Ｂにおける受信アンテナ用遮蔽板２０は、反射鏡１２又はフィードホーン１１における電波受信部１１ａに対して一体化するよりはむしろ着脱可能な構成とし、外来雑音が問題となった時だけ装着する構成とするのが好適である。
【００８０】
従って、本発明は、上述の実施例によって制限するものと解するべきではなく、特許請求の範囲によってのみ制限される。
【産業上の利用可能性】
【００８１】
本発明によれば、衛星放送の受信における外来雑音を好適に低減させることができ、好適には着脱式の受信アンテナ用遮蔽板２０とすることで必要に応じて装着することができ、受信環境の外来雑音状況に応じて妨害波排除を可能とする衛星放送用の受信アンテナの用途に有用である。
【符号の説明】
【００８２】
１Ａ，１Ｂ，２Ａ，２Ｂ  本発明に係る受信アンテナ
１１  フィードホーン
１１ａ  フィードホーンにおける電波受信部
１０Ａ，１０Ｂ  従来の受信アンテナ
１２  反射鏡
２０  受信アンテナ用遮蔽板
２０ａ  受信アンテナ用遮蔽板の開口先端部
２０ｂ  受信アンテナ用遮蔽板の開口基端部
２０ｃ  受信アンテナ用遮蔽板の周壁
２０ｃ‐１，２０ｃ‐２，…，２０ｃ‐Ｎ  受信アンテナ用遮蔽板の周壁素材
２０ｄ  受信アンテナ用遮蔽板の取付部
２０ｅ  受信アンテナ用遮蔽板の取付部における締付部材
２０ｆ  受信アンテナ用遮蔽板の取付部における取着調節部
２０ｇ  受信アンテナ用遮蔽板の取付部における取着バンド
２０ｈ  受信アンテナ用遮蔽板の周壁素材の外面側伸縮連結用丸凸部
２０ｉ  受信アンテナ用遮蔽板の周壁素材の外面側伸縮連結用凹部
２０ｊ  受信アンテナ用遮蔽板の周壁素材の内面側伸縮連結用丸凸部
２０ｋ  受信アンテナ用遮蔽板の周壁素材の内面側伸縮連結用凹部
２０ｍ  受信アンテナ用遮蔽板の伸縮部位
２０ｎ  受信アンテナ用遮蔽板の伸縮部位のワイヤ
１０１  放送衛星
【図１】
2020120335.tif 000003
【図２】
2020120335.tif 000004
【図３】
2020120335.tif 000005
【図４】
2020120335.tif 000006
【図５】
2020120335.tif 000007
【図６】
2020120335.tif 000008
【図７】
2020120335.tif 000009
【図８】
2020120335.tif 000010
【図９】
2020120335.tif 000011